(57)【要約】【課題】放射性廃棄物等の上に敷設したキャッピングシートが雨水の重さで破れることのない廃棄物被覆の処理方法を簡便におこなうことを提供する。【解決手段】所定領域内に配置された放射性廃棄物１を網目状構造物４で覆う工程と、前記網目状構造物４を、キャッピングシート６で覆う工程と、前記キャッピングシートを更に上部ネットで覆う工程を有する廃棄物被覆の処理方法。特に放射性廃棄物１を網目状構造物４で覆う工程を簡便化したもの。【選択図】図３
2017075907.tif 000002
【特許請求の範囲】
【請求項１】
放射性廃棄物仮置場等で廃棄物をキャッピングシートで覆う場合、廃棄物を先に網目状構造物覆いキャッピングシートで覆う工程であるとき、網目状構造物は、１％ひずみ時の引張応力が１．５ｋＮ／ｍ以上を持つものであって、１０００Ｎ／ｍ未満の張力をかけて設置する処理方法。
【請求項２】
前記網目状構造物の端部には錘が底面より上部に宙吊りの状態で設けられている請求項１に記載の廃棄物被覆の処理方法。
【請求項３】
前記網目状構造物の端部には一定張力を有したゴムやバネ等を複数個により網目状構造物を引っ張ることで錘と同じ効果を持たせた請求項１または２のいずれかに記載の廃棄物被覆の処理方法。
【請求項４】
前記網目状構造物が樹脂または金属で構成されている請求項１から３のいずれかに記載の廃棄物被覆の処理方法。
【請求項５】
前記網目状構造物の目開きは、多角形格子形状である請求項１から４のいずれかに記載の廃棄物被覆の処理方法。
【発明の詳細な説明】
【技術分野】
【０００１】
本発明は、除染仮置場等の廃棄物被覆の処理方法に関し、特に、キャッピングシートが雨水等の重さや風雪等で破れることのない廃棄物被覆の処理方法に関するものである。
【背景技術】
【０００２】
従来から、仮置場等の廃棄物被覆において雨水等の浸入を防止し且つ廃棄物より発生するガスを逃がすため、廃棄物中に雨水等を浸透させないがガスは透過するシート、いわゆる通気性防水シートがキャッピングシートとして使用されている。
しかしながら、キャッピングシートで被覆した廃棄物が木や草等の有機物を含むものであった場合、時間の経過により体積変化（減容）し、シートに凸凹が生じることで凹み部分に雨水が溜まり、その重さでキャッピングシートが破れるという問題があった。
【０００３】
そこで、特許文献１ではキャッピングシートの下部に網目状構造物を敷設することで、キャッピングシートに凸凹が生じることを防止する方法が示され、網目状構造物の特性は１％ひずみ時の引張応力が１．５ｋＮ／ｍ以上を持つものであって、１ｋＮ／ｍ以上の張力で設置することが好ましいことが記載されている。
【先行技術文献】
【特許文献】
【０００４】
【特許文献１】特開２０１４−０１６３６５号公報
【発明の概要】
【発明が解決しようとする課題】
【０００５】
しかしながら、キャッピングシートの下部に網目状構造物を１ｋＮ／ｍ以上の張力で設置するためには、当該重量の錘を中空状態で網目状構造物に垂下する必要があることから、施工が困難であることが問題であった。
【０００６】
本発明は上記事情に鑑みてなされたものであり、その目的は、放射性廃棄物等の上に敷設したキャッピングシートが雨水の重さで破れることのない廃棄物被覆の処理方法の施工を簡便に提供することにある。
【課題を解決するための手段】
【０００７】
本発明に係る廃棄物被覆の処理方法は、キャッピングシートの下部に設置する網目状構造物１０００Ｎ／ｍ未満の張力で設置することを特徴とする。
【０００８】
前記網目状構造物は、１％ひずみ時の引張応力が１．５ｋＮ／ｍ以上を持つものであって、１０００Ｎ／ｍ未満の張力で設置することが好ましい。
張力が低すぎる場合、施工は簡便となるが、上部荷重に対して網目状構造物が引き込まれてしまう可能性がある。例えば３００Ｎ／ｍ以上が好ましい。
【０００９】
前記網目状構造物の張力を確保するため、前記網目状構造物の端部には錘（おもり）が底面より上部に宙吊りの状態で設けられていることが好ましい。
【００１０】
前記網目状構造物が樹脂で構成されていることが好ましい。
【００１１】
前記網目状構造物の目開きは、多角形格子形状であることが好ましい。
【発明の効果】
【００１２】
本発明の廃棄物被覆の処理方法によれば、放射性廃棄物を網目状構造物で覆うことにより、キャッピングシートに凹みが生じ局所的に雨水が溜まることがあっても、剛性のある網目状構造物がキャッピングシートの下部にあることから、キャッピングシート自体はポット状やクラック状などの集中荷重がかからず破れることのない廃棄物の処理が可能となる。
【図面の簡単な説明】
【００１３】
【図１】図１は、所定領域内に配置した放射性廃棄物の側面図である。
【図２】図２は、網目状構造物で覆った放射性廃棄物の側面図である。
【図３】図３は、網目状構造物をキャッピングシートで覆った放射性廃棄物の側面図である。
【図４】図４は、網目状構造物を設置しない場合、覆放射性廃棄物に凸凹が生じることで凹み部分に雨水が溜まり、キャッピングシートに損傷が発生する場合の想定断面図である。
【図５】図５は、網目状構造物を１０００Ｎ／ｍ未満で設置した場合、放射性廃棄物に凸凹が生じることで凹み部分に雨水が溜まるが、キャッピングシートに損傷が発生ない場合の想定断面図である。
【発明を実施するための形態】
【００１４】
本発明の廃棄物被覆の処理方法は、上述したような有機物を含む放射性廃棄物の処理に好適なものであり、キャッピングシート下部に網目状構造物を設置する際に、省力化を図れる点に主な特徴を有している。
【００１５】
本発明では、放射性廃棄物を所定領域内に配置する。放射性廃棄物は有機物を含むものであり、袋詰めにして所定領域に配置する。図１は、所定領域内に配置した放射性廃棄物の側面図である。図１において、保護マット２の上に、袋詰めした放射性廃棄物１を配置する。保護マット２の下側には浸出水流出防止用遮水シート３が敷設されている。保護マット２および浸出水流出防止用遮水シート３は、袋詰めにした放射能廃棄物等からの汚染水等の浸出を防止する目的で敷設される。
放射性廃棄物は複数列配置することができる。更に放射性廃棄物を何層も積み上げて配置することも可能である。放射性廃棄物の上面に大きな凸凹が存在すると凹み部分に雨水が溜まり、網目状構造物やキャッピングシートに負荷がかかりやすくなることから、上面は可能な限り平らにする必要がある。
【００１６】
網目状構造物は、所定領域内に配置した放射性廃棄物の上に敷設する。図２は、網目状構造物で覆った放射性廃棄物の側面図である。図２において、所定領域内に配置した放射性廃棄物１の上に網目状構造物４を敷設する。
図２のように、錘５を網目状構造物の端部に錘５（１０００Ｎ／ｍ未満）を設置する。
【００１７】
キャッピングシートは、放射性廃棄物に敷設した網目状構造物の上に敷設する。図３は、網目状構造物をキャッピングシートで覆った放射性廃棄物の側面図である。図３において、網目状構造物４の上にキャッピングシート６を敷設する。
敷設の際は凹みが生じて雨水等が滞水しても網目状構造物４が荷重を負担することから、網目状構造物４にたわみが生じても追随できるようにシートを緩めに敷設することが望ましい。
【００１８】
キャッピングシートは、放射性廃棄物に敷設した網目状構造物の上に敷設する。図３は、網目状構造物をキャッピングシートで覆った放射性廃棄物の側面図である。図３において、網目状構造物４の上にキャッピングシート６を敷設する。
【００１９】
本発明の廃棄物被覆の処理方法では、キャッピングシートに凹みが生じても、ポット状やクラック状等になることを防止する観点から、廃棄物上に網目状構造物を敷設する。廃棄物の上面に凸凹が生じても、係る網目状構造物の張力によりキャッピングシートの凹みがポット状やクラック状になることを防止することができる。
【００２０】
本発明の廃棄物被覆の処理方法は、廃棄物の上面全体を網目状構造物で覆うことが好ましい。網目状構造物で廃棄物の上面全体を覆うことにより、キャッピングシートは廃棄物の凸凹によるポット状やクラック状等の集中荷重の影響を受けることがなく、キャッピングシートの損傷を防止することができる。
【００２１】
網目状構造物は、キャッピングシートのポット状やクラック状等の凹みを有効に防止することと施工性の観点から、使用する網目状構造物の強度以下で且つ１０００Ｎ／ｍ未満の張力をかけて設置する。
錘は特に限定されないが、底面より上部に宙吊りの状態で砂袋、コンクリートウエイトなどを用いることができる。
また、遮水工や廃棄物収納袋に損傷を与えることが無ければ、一定張力を有したゴムやバネ等を複数個により網目状構造物を引っ張ることで１０００Ｎ／ｍ未満の張力とし、錘と同じ効果を持たせることも可能である。
【００２２】
網目状構造物は、１％ひずみ時の引張応力が１．５ｋＮ／ｍ以上を持つものであることが好ましい。
１％ひずみ時の引張応力が１．５ｋＮ／ｍ未満では、局部的荷重が上部にかかった場合、網目状構造物がめり込み、ポット状やクラック状等の凹みができる可能性がある。網目状構造物の１％ひずみ時の引張応力の上限は特に限定されるものではないが、例えば１００ｋＮ／ｍ以下とすることができる。
【００２３】
網目状構造物の目開きの形状は、特に限定されず、多角形格子形状が好ましく、長方形、正方形、菱形、六角形等が例示できる。本発明では、汎用性の高い長方形または正方形の目開きが好ましい。
【００２４】
網目状構造物は、高い張力で設置でき可撓性を有するものであれば、その素材は特に限定されず、例えば、樹脂または金属で構成されるものを用いることができる。樹脂の網目状構造物として、例えば、ポリエチレンやポリプロピレンなどの合成樹脂からなり、土木用途の安定繊維材であるジオグリッドまたはジオネット等のジオテキスタイル、炭素繊維強化プラスチックからなる網等が用いられる。金属の網目状構造物として、例えば、フェンス用の金網等を用いることができる。
なお、丸めて持ち運びできる等の作業性の観点、およびキャッピングシートの損傷原因となる突起性の観点から、網目状構造物はジオグリッドまたはジオネットを用いることが好ましい。
【符号の説明】
【００２５】
１  放射性廃物
２  保護マット
３  浸出水流出防止用遮水シート
４  網目状構造物
５  錘
６  キャッピングシート
【図１】
2017075907.tif 000003
【図２】
2017075907.tif 000004
【図３】
2017075907.tif 000005
【図４】
2017075907.tif 000006
【図５】
2017075907.tif 000007